(57)【要約】【課題】旋回作動中において、緊急に走行停止する必要がある場合にも、迅速な操作が行えるトラクタの走行操作構造を提供する。【解決手段】  ステアリングホイールを基準に右側方に左右一対のサイドブレーキペダルを配置する。左右一方のサイドブレーキペダルを踏み込み操作すると、左右一方の対応するサイドブレーキが入り作動すべく、かつ、両サイドブレーキペダルを踏み込み操作すると左右のサイドブレーキが作動して走行停止状態を現出すべく構成する。走行変速用の静油圧式の無段変速装置２３を設け、ステアリングホイールを基準に左側方に、無段変速装置２３を操作して走行装置への動力伝達を遮断する停止操作ペダル６を設けてある。【選択図】図６
2010179710.tif 000002
【特許請求の範囲】
【請求項１】
ステアリングホイールを基準に右側方に左右一対のサイドブレーキペダルを配置し、前記左右一方のサイドブレーキペダルを踏み込み操作すると、左右一方の対応するサイドブレーキが入り作動すべく、かつ、前記両サイドブレーキペダルを踏み込み操作すると左右のサイドブレーキが作動して走行停止状態を現出すべく構成してあるトラクタの走行操作構造であって、
走行変速用の静油圧式の無段変速装置を設け、前記ステアリングホイールを基準に左側方に、前記無段変速装置を操作して前記走行装置への動力伝達を遮断する停止操作ペダルを設けてあるトラクタの走行操作構造。
【請求項２】
前記停止操作ペダルを踏み込み操作すると、前記無段変速装置の高圧作動油を油タンクに誘導して、前記無段変速装置を前記走行装置への動力伝達を遮断する中立停止位置に切換える第１連係手段を、前記無段変速装置と前記停止操作ペダルとに亘って設けてある請求項１記載のトラクタの走行操作構造。
【請求項３】
前記両サイドブレーキペダルを踏み込み操作すると、前記左右のサイドブレーキが入り作動するとともに、前記無段変速装置を前記走行装置への動力伝達を遮断する中立停止位置に切換える第２連係手段を、前記両サイドブレーキと前記無段変速装置とに亘って設けてある請求項１または２記載のトラクタの走行操作構造。
【発明の詳細な説明】
【技術分野】
【０００１】
本発明は、ステアリングホイールを基準に右側方に左右一対のサイドブレーキペダルを配置し、左右一方のサイドブレーキペダルを踏み込み操作すると、左右一方の対応するサイドブレーキが入り作動し、かつ、両サイドブレーキペダルを踏み込み操作すると左右のサイドブレーキが作動して走行停止状態を現出すべく構成してあるトラクタの走行操作構造に関する。
【背景技術】
【０００２】
上記構成においては、走行停止する場合は、両サイドブレーキペダルを踏み込み操作することによって、行っていた（例えば、特許文献１参照）。
【先行技術文献】
【特許文献】
【０００３】
【特許文献１】特開２００８−２９７７６６号公報（段落〔００１４〕，〔００１５〕）
【発明の概要】
【発明が解決しようとする課題】
【０００４】
上記した構成において、左右一方のサイドブレーキペダルを踏み込み操作して旋回操作を行っている状態で、走行を停止したい場合がある。その場合には、踏み込み操作している左右一方のサイドブレーキペダルから、一旦、踏み込んだ足を外して、元の待機位置に戻って左右のサイドブレーキペダルが揃ったところで、再度、両サイドブレーキペダルを踏み込み操作する必要があった。
【０００５】
その為に、操作が煩雑であり、旋回操作中の走行停止の操作性の面で改善の余地があった。
【０００６】
本発明の目的は、このような点に着目してなされたものであって、旋回操作中において、走行停止する必要がある場合にも、迅速な操作が行えるトラクタの走行操作構造を提供する点にある。
【課題を解決するための手段】
【０００７】
〔構成〕
請求項１に係る発明の特徴構成は、走行変速用の静油圧式の無段変速装置を設け、前記ステアリングホイールを基準に左側方に、前記無段変速装置を操作して前記走行装置への動力伝達を遮断する停止操作ペダルを設けてある点にあり、その作用効果は次の通りである。
【０００８】
〔作用〕
ステアリングホイールを基準として右側に配置した左右のサイドブレーキペダルに対して反対側の左側に停止操作ペダルを配置した。そして、この停止操作ペダルを踏み込み操作することによって、静油圧式の無段変速装置を操作して、走行装置への動力伝達を遮断することができる。
以上のような構成によって、左右一方のサイドブレーキペダルを右足で踏み込み操作して旋回作動を行いながら、走行を停止する必要がある場合には、敢えて、左右一方のサイドブレーキペダルから右足を外すことなく、反対側の左足で停止操作ペダルを踏み込み操作することによって、走行装置を停止操作することができる。
左右一方のサイドブレーキペダルを踏み込み操作する状態を維持しているので、旋回状態が余り高速走行ではない点を考慮すると、左右一方のサイドブレーキの制動力で走行停止させることが可能である。
【０００９】
〔効果〕
したがって、左右一方のサイドブレーキペダルから右足を外すことなく、左側に配置した停止操作ペダルを踏み込み操作することによって、迅速に走行を停止操作することができる。
このように、左右一対のサイドブレーキペダルとはステアリングホイールを基準に反対側に停止操作ペダルを配置する工夫を施すことによって、操作性の向上を図ることができた。
【００１０】
〔構成〕
請求項２に係る発明の特徴構成は、請求項１に係る発明の構成において、前記停止操作ペダルを踏み込み操作すると、前記無段変速装置の高圧作動油を油タンクに誘導して、前記無段変速装置を前記走行装置への動力伝達を遮断する中立停止位置に切換える第１連係手段を、前記無段変速装置と前記停止操作ペダルとに亘って設けてある点にあり、その作用効果は次の通りである。
【００１１】
〔作用効果〕
停止操作ペダルを踏み込み操作すると、無段変速装置の高圧作動油が油タンクに誘導されるので、無段変速装置が中立状態に切り換わり、駆動力が発生せず、走行装置への動力伝達は遮断される。
つまり、停止操作ペダルを踏み込み操作して、無段変速装置からの走行装置への動力伝達を断つ手段として、無段変速装置の高圧作動油を油タンクに誘導する手段を用いることによって、簡易な走行装置の停止構造を構築することができた。
【００１２】
〔構成〕
請求項３に係る発明の特徴構成は、請求項１又は２に係る発明の構成において、前記両サイドブレーキペダルを踏み込み操作すると、前記左右のサイドブレーキが入り作動するとともに、前記無段変速装置を前記走行装置への動力伝達を遮断する中立停止位置に切換える第２連係手段を、前記両サイドブレーキと前記無段変速装置とに亘って設けてある点にあり、その作用効果は次の通りである。
【００１３】
〔作用効果〕
左右のサイドブレーキを操作して、走行装置を停止操作した場合にも、第２連係手段が作動して、無段変速装置を中立停止位置に切換えることができるので、無段変速装置で走行装置への動力伝達を遮断することができ、サイドブレーキに無理な推進力が作用せず、安定したブレーキ作動を行わせることができる。
【図面の簡単な説明】
【００１４】
【図１】耕耘機仕様に構成されたトラクタを示す全体側面図である。
【図２】伝動系を示す概略展開図である。
【図３】制御ブロック図である。
【図４】サイドブレーキペダルの側面図である。
【図５】停止操作ペダルの配置状態を示す平面図である。
【図６】静油圧式の無段変速装置の油圧回路図である。
【図７】静油圧式の無段変速装置と停止操作ペダルを連係する第１連係機構を示す平面図である。
【図８】支持ブラケットを示す側面図である。
【図９】（ａ）停止操作ペダルを踏み込み操作しないで、中立操作用のスプールを引退させ、静油圧式の無段変速装置を中立停止位置以外の変速位置に維持する状態を示す側面図、（ｂ）停止操作ペダルを踏み込み操作し、中立操作用のスプールを引き出して、静油圧式の無段変速装置を中立停止位置に切換えた状態を示す側面図である。
【発明を実施するための形態】
【００１５】
図１に、ロータリ耕耘機仕様に構成されたトラクタが示されている。このトラクタは、前輪２および後輪３を備えた走行装置とステアリングホイール５９で操向する四輪駆動型のトラクタ本機１の後部にロータリ耕耘装置４を昇降自在に連結して構成されている。トラクタ本機１の車体は、エンジン５、走行を停止させる停止操作ペダル６、主変速ケース７、ミッドケース８、および、ミッションケース９を直列に直結したモノボディ型に構成されている。エンジン５に連結された前フレーム１０に前車軸ケース１１がローリング可能に支持され、この前車軸ケース１１の左右に前輪２が操向操作可能に支持されるとともに、ミッションケース９の左右に後輪３が軸支されている。ミッションケース９の後部に、リフトアーム１２によって駆動昇降されるリンク機構１３が装備され、このリンク機構１３にロータリ耕耘装置４が連結されている。
【００１６】
〔伝動系〕
図２に、トラクタ本機１における伝動系が示されている。エンジン５の出力は、ギヤ機構１５を経て主変速ケース７に備えられた入力軸１６に伝達され、主変速ケース７に備えられた出力軸１７から取り出された変速動力が、ギヤ式の副変速装置１８で３段に変速された後、後部デフ装置１９およびサイドブレーキ２２を介して左右の後輪３に伝達される。副変速装置１８で変速された走行系動力の一部がミッションケース９の下部から取り出されて、伝動軸２０を介して前車軸ケース１１に伝達され、前部デフ装置２１を介して左右の前輪２に伝達される。
【００１７】
主変速ケース７には静油圧式の無段変速装置（ＨＳＴ）２３が内装されている。図２及び図６に示すように、無段変速装置２３は、アキシャルプランジャ式に構成された可変容量型の油圧ポンプ２３Ｐと油圧モータ２３Ｍとからなり、前記入力軸１６によって定速で回転駆動される油圧ポンプ２３Ｐにおける斜板角度を変更して、吐出される圧油の吐出方向および吐出量を変更することで、その圧油を受ける油圧モータ２３Ｍの前記出力軸１７を、正転あるいは逆転で無段階に回転作動させるよう構成されている。
図中Ｃは、チャージ回路であり、チャージポンプ５７からの圧油を無段変速装置２３の閉回路内に投入するように構成してある。
【００１８】
図２に示すように、入力軸１６は油圧ポンプ２３Ｐを貫通して後方に延出され、この入力軸１６に伝達された定速回転動力の一部が、ミッドケース８に内装されたＰＴＯクラッチ２４を経て更に後方に伝達され、ミッションケース９の後部に突設したＰＴＯ軸２５から取り出されて、走行変速に関係なく定速のＰＴＯ動力でロータリ耕耘装置４が駆動される。
【００１９】
無段変速装置（ＨＳＴ）２３は、油圧サーボ手段によって変速制御されており、その構成が図３及び図６に示されている。
無段変速装置２３における油圧ポンプ２３Ｐの斜板角度は、複動式のサーボシリンダ３０によって正逆に変更操作可能に構成されるとともに、斜板角度がポテンショメータを利用した斜板角センサ３１で検出されて制御装置３２に入力される。サーボシリンダ３０は、斜板角度を零にする中立停止位置に一対の復帰バネ３３によって復帰付勢されるとともに、制御装置３２に接続された前進用の比例制御弁３４と後進用の比例制御弁３５を介した油圧制御によってサーボシリンダ３０が伸縮作動するようになっている。
【００２０】
比例制御弁３４，３５は、通電制御されない状態においてサーボシリンダ３０をタンクに連通する復帰位置に付勢されており、両比例制御弁３４，３５が共に復帰位置にある時、サーボシリンダ３０が自由状態となって、無段変速装置２３が中立停止位置に復帰するようになっている。ポンプ３６から比例制御弁３４，３５への圧油供給径路にはリリーフ弁３７が備えられ、油圧サーボ手段におけるシステム圧の最高圧が制限されている。
【００２１】
〔操作系〕
トラクタ本機１には変速ペダル３８と変速レバー３９が装備されている。図１及び図５に示すように、変速ペダル３８は運転座席１４の足元右側に配備されるとともに、変速レバー３９は運転座席１４の左横側に配備されている。図３に示すように、変速ペダル３８は、前後に踏み分け可能、かつ、図示されていないカム機構によって機械的に中立停止位置に復帰付勢されている。変速ペダル３８の踏み込み位置がポテンショメータ４０で検出されて制御装置３２に入力されており、ポテンショメータ４０で検出された変速ペダル３８の踏み込み位置情報と、前記斜板角センサ３１からのフィードバック情報に基づいて比例制御弁３４，３５が作動制御される。つまり、変速ペダル３８の踏み込み方向および踏み込み量に応じてサーボシリンダ３０が伸縮作動して、変速ペダル３８の踏み込みに対応した斜板角度がもたらされ、無段階の前進変速および後進変速が行われ、踏み込みを解除すると変速ペダル３８が中立停止位置に自動復帰して、走行推進力の出力が断たれて走行が停止されるのである。
【００２２】
変速レバー３９は変速ペダル３８を前進変速方向にのみ片当たり操作可能に機械連係されるとともに、任意の操作位置に摩擦保持可能に支持されており、変速レバー３９を連係解除位置ｎに保持した状態では、変速レバー３９と変速ペダル３８との連係が解除され、変速ペダル３８は前進域から後進域までの全域において踏み込み操作可能となる。変速レバー３９を連係解除位置ｎから前方に操作するに連れて変速ペダル３８が前方踏み込み方向（前進増速方向）に接当操作され、変速レバー３９を前進変速域の任意の操作位置に摩擦保持することで、変速ペダル３８の中立停止位置への復帰が阻止されて任意の前進変速域に保持され、変速レバー３９の操作位置に対応した任意の速度による定速前進走行が行われる。なお、変速レバー３９によって変速ペダル３８が前進変速域の中間位置に保持されている状態では、変速ペダル３８をそれ以上の前進増速方向へ踏み込み操作することが許容され、踏み込みを解除すれば変速レバー３９で設定した速度まで復帰するようになっている。
【００２３】
〔サイドブレーキ〕
変速ペダル３８の近傍には、左右のサイドブレーキ２２に各別にリンク連動された一対のサイドブレーキペダル４１が左右に並列して配備されるとともに、左右のサイドブレーキペダル４１はリンク機構４２を介して作動アーム４３に連動連結されている。このリンク機構４２は、片方のサイドブレーキペダル４１を踏み込み操作しただけでは作動アーム４３が回動されることはなく、両サイドブレーキペダル４１を同時に踏み込み操作した時だけ、その踏み込み量に応じた角度で作動アーム４３が回動されるよう構成されており、この作動アーム４３の回動角度がポテンショメータ４４によって検出されて前記制御装置３２に入力される。
ここに、左右のサイドブレーキ２２と左右のサイドブレーキペダル４１とを連係するリンク機構４２を、第２連係機構と称する。
【００２４】
〔ＰＴＯクラッチ〕
ＰＴＯクラッチ２４は、油圧が印加されるとクラッチ入り作動し、油圧の印加が解除されるとバネ付勢力で切り操作される多板式の摩擦クラッチで構成されており、印加される油圧が制御装置３２に接続された電磁式の比例制御弁４５を介して制御されるようになっている。運転座席１４の横側にはＰＴＯクラッチレバー４６が配備されており、このＰＴＯクラッチレバー４６の操作位置がＰＴＯ入切スイッチ４７で検知されて、その検知情報が制御装置３２に入力されている。ＰＴＯクラッチレバー４６が「切」位置に操作されると、油圧の印加が解除されるように比例制御弁４５が制御されて、ＰＴＯクラッチ２４がクラッチ切り状態となり、ＰＴＯクラッチレバー４６が「入」位置に操作されると、所定の高い油圧が印加されるように比例制御弁４５が制御されて、ＰＴＯクラッチ２４がクラッチ入り状態となる。
【００２５】
左右のサイドブレーキペダル４１が同時に踏み込み操作された場合、その踏み込み量が大きくなるに連れて各サイドブレーキ２２の制動力が増大するとともに、変速操作用の油圧サーボ手段とＰＴＯクラッチ入り切り用の比例制御弁４５が以下のように制御される。
【００２６】
変速レバー３９を任意の前進位置に保持して前進速度を設定するとともに、ＰＴＯクラッチレバー４６を「入」位置に操作している状態で、図４に示すように、左右のサイドブレーキペダル４１を踏み込み解除して復帰位置（ａ）に戻すと、両サイドブレーキ２２が制動解除状態にあるとともに、前進用の比例制御弁３４が通電制御されてサーボシリンダ３０が所定位置まで作動され、無段変速装置２３は変速レバー３９の操作位置に対応した前進変速状態に保持される。ＰＴＯクラッチ２４には高い油圧が供給されてクラッチ入り状態がもたらされる。
【００２７】
この状態から両サイドブレーキペダル４１を同時に踏み込み操作すると、その踏み込み量に応じて左右のサイドブレーキ２２が制動作用を発揮するとともに、作動アーム４３の回動角度に基づいてサーボシリンダ３０が減速方向に作動制御され、走行速度が変速レバー３９で設定された前進速度から次第に低下してゆく。
【００２８】
両サイドブレーキペダル４１を、予め設定された第１踏込み位置（ｂ）まで同時に踏み込み操作すると、変速レバー３９が前進変速域に保持されているにかかわらず、両比例制御弁３４，３５への通電が遮断された状態がもたらされ、サーボシリンダ３０が中立停止位置に復帰されて無段変速装置２３は優先的に中立停止状態となり、走行が停止される。
【００２９】
両サイドブレーキペダル４１を前記第１踏込み位置（ｂ）を越えて更に踏み込み操作するに連れて、作動アーム４３の回動角度に基づいて比例制御弁４５が制御されて、ＰＴＯクラッチ２４へ印加される油圧が徐々に低下され、摩擦力が次第に減少して半クラッチ状態がもたらされる。両サイドブレーキペダル４１が予め設定された第２踏込み位置（ｃ）まで踏み込まれると摩擦力が消滅して、ＰＴＯクラッチ２４が完全にクラッチ切り状態となる。
【００３０】
両サイドブレーキペダル４１を前記第１踏込み位置（ｂ）を越えた踏み込み限界位置にある第３踏込み位置（ｄ）まで踏み込むと、作動アーム４３の回動に基づいて油圧サーボ手段の前記リリーフ弁３７が機械的に強制開放され、油圧サーボ手段のシステム圧が零まで低下され、走行変速用の比例制御弁３４，３５がどのような制御作動状態にあっても、サーボシリンダ３０への圧油供給が解除され、無段変速装置２３が中立停止位置に復帰される。
【００３１】
このように、両サイドブレーキペダル４１を第３踏込み位置（ｄ）まで大きく踏み込むと、サーボシリンダ３０への圧油供給を強制解除して無段変速装置２３を中立停止位置に復帰させるので、万一、走行中に電気系の故障によって比例制御弁３４，３５が復帰位置に戻らないような事態が発生しても、両サイドブレーキペダル４１を踏み込み限界まで踏み込みさえすれば、無段変速装置２３を中立停止位置に復帰させて走行停止することができる。
【００３２】
両サイドブレーキペダル４１の踏み込みに基づく上記制御は、ロータリ耕耘作業において、以下のように有効に活用することができる。
図示していないが、圃場の隅部から耕耘を開始する場合、先ず、トラクタ本機１を畦際の所望位置に移動させて両サイドブレーキペダル４１を第２踏み込み位置（ｃ）以上に十分踏み込んで走行を停止する。この時、変速レバー３９を所望の前進速度に保持しておくとともに、ＰＴＯクラッチレバー４６を「入」位置に操作しておく。上記のように、両サイドブレーキペダル４１を第２踏み込み位置（ｃ）以上に十分踏み込んだ状態では、走行制動が十分かかっているとともに、無段変速装置２３は推進力が出力されない中立復帰状態にあり、かつ、ＰＴＯクラッチ２４はクラッチ切り状態にある。
【００３３】
この状態から両サイドブレーキペダル４１を戻してゆくと、まだ制動が利いて走行が停止している状態でＰＴＯクラッチ２４が徐々に入れられてロータリ耕耘装置４がゆっくり回転を開始することになり、ロータリ耕耘装置４が低速回転されるペダル踏み込み位置に両サイドブレーキペダル４１を踏み込み維持したままで、ダウンカット方向に回転するロータリ耕耘装置４を下降させて圃場に突入させる。
【００３４】
この場合、ロータリ耕耘装置４を圃場に突入させることで耕耘反力による推進力が発生するが、両サイドブレーキペダル４１はまだ踏み込み状態にあってトラクタ本機１を制動しているので、ロータリ耕耘装置４によってもたらされた推進力でトラクタ本機１が前方に押し動かされることはない。
【００３５】
ロータリ耕耘装置４が所望の耕深まで下降したら、両サイドブレーキペダル４１を更にゆっくり戻してゆくことで、走行制動が徐々に解除されるとともに、無段変速装置２３が変速レバー３９で設定された前進速度に向けて増速制御され、所望の耕深状態を維持したままで前進走行に移行することができる。
【００３６】
ロータリ耕耘作業中に両サイドブレーキペダル４１を踏み込むと、先ず、両サイドブレーキペダル４１の踏み込みに連れて走行速度が自動的に減速制御され、走行停止位置（ｂ）まで踏み込むと無段変速装置２３が中立状態になって走行が停止する。この走行停止位置（ｂ）から更に踏み込んでＰＴＯ切り位置（ｃ）にすると、ＰＴＯクラッチレバー４６を操作しなくても自動的にＰＴＯクラッチ２４が切られてロータリ耕耘装置４が停止する。従って、ロータリ耕耘作業中に両サイドブレーキペダル４１を踏み込むだけで、ロータリ耕耘装置４の耕耘反力によってトラクタ本機１が前進方向に押し動かされるようなことなく、所定の位置で走行停止することができる。
【００３７】
停止操作ペダル６と静油圧式の無段変速装置２３との連係について説明する。図６に示すように、無段変速装置２３における前進走行時に高圧となる第1油路Ａと油タンクＴとに亘って戻り油路６３を設け、戻り油路６３にアンロード弁６４を設け、戻り油路６３におけるアンロード弁６４と油タンクＴとの間に絞り弁６５を設けてある。アンロード弁６４によって、無段変速装置２３の第1油路Ａの油圧を開放して、走行装置への動力伝達を遮断する。具体的な構成については、次に記載する。
【００３８】
アンロード弁６４について説明する。図７〜図９に示すように、無段変速装置２３の横側面に油圧ポートブロック５０を取り付けてあり、この油圧ポートブロック５０は薄肉平板状に形成されている。油圧ポートブロック５０には、図示してはいないが、静油圧式の無段変速装置２３の第1油路Ａ等と前進時に低圧側となる第２油路Ｂとが平板状の側面に沿った状態で設けてあり、油圧ポートブロック５０の肉厚内に形成されている。
【００３９】
油圧ポートブロック５０の肉厚内には、スプール収納路５０Ａとアンロード弁６４とが設けてあり、スプール収納路５０Ａにスプール７０を収納してある。スプール７０は先端部７０Ａを油圧ポートブロック５０より突出させて停止操作ペダル６に連係してある。ここで、図示はしていないが、スプール７０の中間部分７０Ｃをスプール収納路５０Ａの径より小径に構成し、スプール収納路５０Ａの中間位置には、逃がし路を形成してある。逃がし路は油タンクＴに繋がっている。アンロード弁６４はこのスプール７０の外周面とスプール収納路５０Ａの内周面との間隙を開閉することで構成してある。また、スプール収納路５０Ａと逃がし路とを、第1油路Ａから油タンクＴへの戻り油路６３と称する。
【００４０】
図９（ａ）に示すように、スプール７０の先端部７０Ａが油圧ポートブロック５０から内部に引退した状態では、逃がし路は第1油路Ａと連通する状態にはない。この非連通状態より、図９（ｂ）に示すように、スプール７０を横側方に引き出すと、スプール７０の中間部分７０Ｂが第1油路Ａに開口する大径の開口部と逃がし路に亘る範囲に位置する。
そうすると、第1油路Ａから高圧作動油がスプール７０の中間部分７０Ｃとスプール収納路５０Ａの内周面との間に形成された間隙を通して移動し、逃がし路に至ってその逃がし路より油タンクＴへ誘導される。
【００４１】
スプール７０を引き出し操作する構造について説明する。図９に示すように、油圧ポートブロック５０のスプール収納路５０Ａの一端に大径収納路５０ａを形成し、その大径収納路５０ａに、付勢バネ５１が装着してある。付勢バネ５１は、大径収納路５０ａの段差面とスプール７０の基端部７０Ｂに取付けてある受止ディスク５８との間に設けてある。この付勢バネ５１によってスプール７０はスプール収納路５０Ａ内に引退するように付勢されている。
【００４２】
スプール７０の先端部７０Ａが油圧ポートブロック５０の横側面５０ｂより突出し、その横側面５０ｂに連設する状態で、支持ブラケット５２が配置してあり、支持ブラケット５２は延出ブラケット部５２Ｄを介してミッションケース９に取付てある。支持ブラケット５２は、チャンネル断面形状を呈する基端ブラケット部５２Ａと、基端ブラケット部５２Ａより先端側のアングル状断面を呈する先端ブラケット部５２Ｂと先端ブラケット部５２Ｂの先端フランジ部５２Ｃとでなる。
【００４３】
図７〜９に示すように、支持ブラケット５２には、第１連係機構Ｄが取付てある。第１連係機構Ｄは、支持ブラケット５２の基端部５２Ａに連結される連結具５３と、その連結具５３に引掛け係止されるストローク吸収バネ５４と、ストローク吸収バネ５４と停止操作ペダル６とを接続するレリーズワイヤ機構５５とで構成してある。
【００４４】
連結具５３は、支持ブラケット５２の基端部５２Ａの内面に沿った状態でスライド移動可能に設けてあり、基端部５２Ａと連結具５３とスプール７０の先端部７０Ａとを串刺し状に貫通する連結ボルト５６で、基端部５２Ａとスプール７０に連結されている。
連結ボルト５６が貫通する基端部５２Ａにおける立ち上げフランジ部５２ａには、連結ボルト５６の移動を許す長孔５２ｂが形成してある。
【００４５】
以上のような構成により、停止操作ペダル６への踏み込み操作により、第１連係機構Ｄ等は次のような作動を行う。
（１）  図９（ａ）に示すように、停止操作ペダル６の踏み込み操作が行われていない状態では、スプール７０は油圧ポートブロック５０内に引き込まれた引退状態にある。スプール７０と連結具５３とを連結する連結ボルト５６は、基端部５２Ａに形成した長孔５２ｂの一端に引き寄せられている状態にある。
【００４６】
（２）  図９（ｂ）に示すように、停止操作ペダル６を待機位置から踏み込み操作すると、連係用のレリーズワイヤ機構５５が引き操作され、ストローク吸収バネ５４を介して連結具５３及びスプール７０が引き出し操作される。
このスプール７０の引き出し状態で第1油路Ａと油タンクＴとが連通状態となり、無段変速装置２３が中立停止状態に切換られる。
無段変速装置２３が中立停止位置に切換えられると、前後輪２、３への伝動が遮断される。左右一方のサイドブレーキペダル４１が踏み込み操作された状態での旋回操作中であれば、前後輪２，３は低速であり、かつ、左右一方のサイドブレーキペダル４１が踏み込み操作されているので、走行速度が低く圃場の抵抗との相乗効果によってトラクタは停止する。
【００４７】
（３）  図９（ｂ）に示す状態では、連結ボルト５６と連結具５３が支持ブラケット５２に対してスライド移動し、連結ボルト５６は長孔５２ｂの先端部で受止られる。このように、連結ボルト５６が長孔５２ｂの一端によって受止られることによってスプール７０の引き出し量が設定量を越えることはなく、かつ、停止操作ペダル６が更に踏み込み操作されることによるレリーズワイヤ機構５５の伸長作動は、ストローク吸収バネ５４の伸長作動によって吸収され、スプール７０を移動させることはない。
【００４８】
図３に示すように、停止操作ペダル６に対しても、ＰＴＯクラッチレバー４６と同様に停止操作ペダル６の操作位置を検知する操作位置検出手段としてのＰＴＯ入切スイッチ６０が設けられており、停止操作ペダル６を踏み込み操作すると、前記したように無段変速装置２３が中立停止位置に切り換えられると共に、ＰＴＯ入切スイッチ６０からの検出に基づいて制御装置３２から比例制御弁４５に出力されて、停止操作ペダル６の踏み込み操作に連動してＰＴＯクラッチ２４が切り状態に切り換えられるように構成されている。
【００４９】
〔他の実施形態〕
（１）  エンジン５とギヤ機構１５との間に主クラッチ（図示せず）を設けてもよい。このように主クラッチを設けることによって、走行系及びＰＴＯ系への動力伝達を主クラッチペダル（図示せず）の操作で入切操作できる。この場合には、ステアリングホイール５９の左側に主クラッチペダルと停止操作ペダル６とを併設して設けてもよい。
（２）  前記した実施形態においては、停止操作ペダル６とアンロード弁６４とをワイヤで連係する構成について記載したが、停止操作ペダル６の操作状態を電気や光等のセンサで検出して、アンロード弁６４のスプール７０をアクチュエータで駆動する形態を採ってもよい。
（３）  停止操作ペダル６を操作した際に、無段変速装置２３を中立停止位置に切換える構成としては、停止操作ペダル６の操作状態を電気や光等のセンサで検出して、その結果に基づいて、両比例制御弁３４，３５への通電を停止してサーボシリンダ３０を中立停止位置に操作するように、構成してもよい。
（４）  戻り油路６３及びアンロード弁６４を、第1油路Ａ及び第２油路Ｂの両方に亘って接続してもよい。
【００５０】
本願発明は、トラクタの操作系に有用な発明であり、特に、静油圧式の無段変速装置を搭載したトラクタに利用できる。
【符号の説明】
【００５１】
６        停止操作ペダル
２２      サイドブレーキ
２３      静油圧式の無段変速装置
４１      サイドブレーキペダル
４２      第２連係手段
５９      ステアリングホイール
Ｄ        第1連係手段
Ｔ        油圧タンク
【図１】
2010179710.tif 000003
【図２】
2010179710.tif 000004
【図３】
2010179710.tif 000005
【図４】
2010179710.tif 000006
【図５】
2010179710.tif 000007
【図６】
2010179710.tif 000008
【図７】
2010179710.tif 000009
【図８】
2010179710.tif 000010
【図９】
2010179710.tif 000011